(57)【要約】【課題】漂流物が衝突した際の衝撃力を効果的に緩衝する。【解決手段】筒部材２は柔軟で水を透過させない膜材により形成されており、内部に注入水６が注入される。このとき、水面６ｂは、設置場所である海などの水面５ｂよりも上方になるようにしている。筒部材２の形状は、形状保持支柱３と、剛性を有するケーブル４により筒形に保持されている。漂流物等が筒部材２に衝突すると、筒部材２は撓んで凹み衝撃力を緩衝する。筒部材２が凹むと、注入水６の水位が上昇して水圧が高くなり、高くなった水圧により凹んだ部分が外側に押し戻されて、筒部材２は筒形状に回復する。【選択図】        図１
2004360304.tif 000002
【特許請求の範囲】
【請求項１】
水を透過させない柔軟な膜材により、有底の筒形状に形成されており、内部に注入される注入水の水面が、設置場所である河川や湖沼や海の水面よりも高くなるまで、注入水が注入される筒部材を有することを特徴とする水上緩衝構造物。
【請求項２】
水を透過させない柔軟な膜材により、有底の筒形状に形成されており、内部に注入される注入水の水面が、設置場所である河川や湖沼や海の水面よりも高くなるまで、注入水が注入される筒部材と、
前記筒部材の高さ方向に沿って配置されており、前記筒部材を上下方向に伸びばした状態で形状を保持する形状保持支柱と、
前記筒部材の高さ方向の複数箇所において、筒部材の周方向に沿い配置されて、前記筒部材の周方向形状を保持する周方向形状保持手段と、を有することを特徴とする水上緩衝構造物。
【請求項３】
請求項１または請求項２において、
前記筒部材は、上方に向かうに従い横断面積が次第に狭まる形状になっていることを特徴とする水上緩衝構造物。
【請求項４】
請求項１または請求項２において、
前記筒部材は、上方に向かうに従い横断面積が段階的に狭まる形状になっていることを特徴とする水上緩衝構造物。
【請求項５】
請求項１乃至請求項４の何れか一項において、
前記筒部材の頂部には、前記注入水に浮かぶ浮力体が取り付けられていることを特徴とする水上緩衝構造物。
【請求項６】
前記筒部材は底面のみならず上面も閉塞されていることを特徴とする水上緩衝構造物。
【発明の詳細な説明】
【０００１】
【発明の属する技術分野】
本発明は水上緩衝構造物に関し、船舶等が衝突した際に衝撃力を効果的に緩衝しつつも、船舶等を押し戻す適切な回復力も併せ持ち、しかも、簡便に設置や取外しすることができるように工夫したものである。
【０００２】
【従来の技術】
河川にはバージ船などが航行することがあるが、このバージ船が橋脚に衝突して橋が崩壊する事故が発生したことがあった（米国において）。このような事故に対処する対策としては、橋脚を強固にする以外に具体的な手だてがない。
【０００３】
このような問題は、河川の橋梁だけでなく、港湾域においても想定される。港湾域では、台風や津波によって係船ロープがはずれて船が湾内に漂流するおそれがあり、このような場合には、漂流した船が防波堤などの湾内構造物に衝突して堤防等を破壊するおそれがある。しかし、橋梁や湾内構造物の被害を軽減するための簡便な構造物は現在のところ存在していない。
【０００４】
なお、船舶が岸壁に接岸する際の衝撃を緩和するために、岸壁には防舷材が固定設置される。一般的な防舷材は、弾性材により構成されており、主にこの弾性材の弾性力を利用して緩衝を行っている（例えば特許文献１，２参照）。
また、柔らかな中空胴体に弁を備えると共に、中空胴体中に海水を入れ、衝突時には中空胴体中の海水が弁を通って排出されるときの流体抵抗を利用して、緩衝を行う防舷材も存在する（例えば特許文献３参照）。
【０００５】
【特許文献１】
特開昭６１−２０７７０５  号公報
【特許文献２】
実開昭５２−７５３９３号公報
【特許文献３】
実開昭５６−３３３２６号公報
【０００６】
【発明が解決しようとする課題】
しかし、防舷材は岸壁等に固定設置するものであり、簡便に設置や取外しをすることはできない。また、船舶等が衝突した際に衝撃力を効果的に緩衝しつつも、船舶等を押し戻す適切な回復力も併せ持たせることは困難であった。
【０００７】
本発明は、上記従来技術に鑑み、設置や取外しが簡便にできると共に、衝撃力を効果的に緩衝しつつも、衝突物を押し戻す適切な回復力も併せ持った水上緩衝構造物を提供することを目的とする。
【０００８】
【課題を解決するための手段】
上記課題を解決する本発明の構成は、水を透過させない柔軟な膜材により、有底の筒形状に形成されており、内部に注入される注入水の水面が、設置場所である河川や湖沼や海の水面よりも高くなるまで、注入水が注入される筒部材を有することを特徴とする。
【０００９】
また本発明の構成は、水を透過させない柔軟な膜材により、有底の筒形状に形成されており、内部に注入される注入水の水面が、設置場所である河川や湖沼や海の水面よりも高くなるまで、注入水が注入される筒部材と、
前記筒部材の高さ方向に沿って配置されており、前記筒部材を上下方向に伸びばした状態で形状を保持する形状保持支柱と、
前記筒部材の高さ方向の複数箇所において、筒部材の周方向に沿い配置されて、前記筒部材の周方向形状を保持する周方向形状保持手段と、を有することを特徴とする。
【００１０】
また本発明の構成は、前記筒部材は、上方に向かうに従い横断面積が次第に狭まる形状になっていたり、
前記筒部材は、上方に向かうに従い横断面積が段階的に狭まる形状になっていたり、
前記筒部材の頂部には、前記注入水に浮かぶ浮力体が取り付けられていたり、前記筒部材は底面のみならず上面も閉塞されていることを特徴とする。
【００１１】
【発明の実施の形態】
以下に本発明の実施の形態を図面に基づき詳細に説明する。
【００１２】
＜第１の実施の形態＞
図１は本発明の第１の実施の形態に係る水上緩衝構造物１を水中に設置した状態で示す断面図であり、図２はその斜視図である。この水上緩衝構造物１は、筒部材２を主体にしたものである。この筒部材２は、底面が閉塞すると共に上面が開口した筒形状となっており、柔軟な膜材により形成されている。膜材としては、例えば、ポリテトラフルオルエチレン膜や、アラミド繊維膜や、ＦＲＰ膜などの柔軟で、且つ、水を透過させない膜を採用する。
【００１３】
この筒部材２の内周側には、筒部材２の高さ方向に沿って形状保持支柱３が配置されており、筒部材２はその内周面の高さ方向の複数箇所で、形状保持支柱３で支持されている。このため、筒部材２は高さ方向に関して、上下方向に伸びた状態で形状が保持される。仮に、筒部材２を空気中に置いて形状保持部材３を外してしまうと、柔軟な筒部材２は上下方向に関して萎んで（潰れて）しまい、高さ方向に伸びた形状とはならない。
【００１４】
更に、筒部材２の高さ方向の複数箇所には、筒部材２の外周面を一周する状態でケーブル４が配置されている。ケーブル４は、剛性を有する鉄鋼材や樹脂材によりリング状に形成されたものであり、周方向形状保持手段として機能している。したがって、このケーブル４により、筒部材２の周方向の形状（リング形状）が保持される。
【００１５】
このような構造となっている水上緩衝構造物１では、筒部材２は外部から漂流物等が衝突すると撓んで凹むことができる。また、筒部材２はその撓みが許容する範囲で、上下方向に伸縮することができる。
【００１６】
かかる水上緩衝構造物１は、図１に示すように、河川や湖沼や海などの水５中に設置される。つまり、筒部材２の底面が水底５ａに載置され、筒部材２の上面が水面５ｂよりも上方に位置するように設置される。そして、筒部材２の内部空間には、注入水（河川水や湖沼水や海水を注入したもの）６が注入される。この場合、注入水６の水面６ｂが、河川や海等の水５の水面５ｂよりも上方になるように、注入水６を注入する。
【００１７】
例えば橋脚を保護するためには、図１に示す状態の水上緩衝構造物１を、橋脚の周囲に配置する。水上緩衝構造物１は、ロープ等により橋脚に緊縛などして位置固定する。
【００１８】
河川を流れてきた漂流物等が筒部材２に衝突すると、筒部材２は撓んで凹む。このため漂流物等の衝撃を緩和することができる。また、筒部材２が撓んで凹むことにより、注入水６の水面６ｂが定常状態の水位αから上方の水位βにまで上昇する（図１参照）。このように水面６ｂが上昇すると注入水６の水圧が高くなり、一旦は凹んだ筒部材２は注入水６の水圧により外周側に押し戻されて形状は筒状に回復する。結局、衝突した漂流物等は筒部材２を凹ましつつ緩衝され、その後に、筒部材２から押し戻される。かくして、漂流物等の衝突による衝撃を緩和することができ、橋脚等の保護をすることができる。
【００１９】
なお、筒部材２の外周面のうち、漂流物が衝突し易い面に、滑り易い材料で形成した受衝板を設けるようにしてもよい。また、筒部材２の周方向の形状（リング形状）を保持するためには、ケーブル４の代わりにリング状パイプ等を用いることもできる。
また、筒部材２に、自己形状保持ができる（筒型形状が保持できる）程度の剛性を持たせるようにした場合には、形状保持支柱３やケーブル４は無くてもよい。筒部材２に自己形状保持機能を持たせる手法としては、筒部材２の全体を厚くしたり、一部（上下方向に伸びる一部分）を厚くしたり、全体を剛性の高い材料で形成したりする方法を採用することができる。
更に、筒部材２としては、底面のみならず、上面をも閉塞したものを採用することができる。また更に、筒部材２の筒形状としては、円筒形のみならず角筒形にしても良い。
この水上緩衝構造物１は、防舷材として使用することもでき、また緊急時に船や浮体に取り付けることもできる。
【００２０】
＜第２の実施の形態＞
図３及び図４は本発明の第２の実施の形態に係る水上緩衝構造物１Ａを水中に設置した状態で示す断面図である。この水上緩衝構造物１Ａの基本構造は、図１及び図２に示す第１の実施の形態と同様であるので、第１の実施の形態と異なる部分を中心に説明をする。
【００２１】
この水上緩衝構造物１Ａは、筒部材２を主体にしたものである。この筒部材２は、底面が閉塞すると共に上面が開口した筒形状となっており、柔軟な膜材により形成されている。膜材としては、例えば、ポリテトラフルオルエチレン膜や、アラミド繊維膜や、ＦＲＰ膜などの柔軟で、且つ、水を透過させない膜を採用する。
【００２２】
この筒部材２の内周側には、形状保持支柱３Ａが配置されている。この形状保持支柱３Ａは、筒部材２の底面から上方に向かって真っ直ぐに配置されているが、その頂部が筒部材２の上端面にまでは達していない長さとなっている。そして、高さ方向（深さ方向）に関して、形状保持支柱３Ａが存在する部分において、筒部材２はその内周面の高さ方向の複数箇所で、形状保持支柱３で支持されている。このため、高さ方向（深さ方向）に関して、形状保持支柱３Ａが存在する部分においては、筒部材２は高さ方向に関して、上下方向に伸びた状態で形状が保持される。
【００２３】
筒部材２の内周面の頂部には、浮力体７が取り付けられている。このように、浮力体７を取り付けていることが、第２の実施の形態の工夫点である。
【００２４】
筒部材２の内部空間に、注入水（河川水や湖沼水や海水を注入したもの）６を注入し、注入水６の水面６ｂを、河川や海等の水５の水面５ｂよりも上方になるようにする。そうすると、浮力体７が注入水６の水面６ｂに浮かび、これにより、筒部材２の頂部は水面６ｂよりもやや上方に位置する。
【００２５】
図４に示すように、河川を流れてきた漂流物等８が筒部材２に衝突すると、筒部材２は撓んで凹む。このため漂流物等８の衝撃を緩和することができる。また、筒部材２が撓んで凹むことにより、注入水６の水面６ｂが上昇する。このように水面６ｂが上昇すると、これに伴い浮力体７ひいては筒部材２の頂部が上昇し、筒部材２のうち、形状保持支柱３Ａよりも上側にある部分が上方に伸びる。
【００２６】
注入水６の水面６ｂが上昇すると注入水６の水圧が高くなり、一旦は凹んだ筒部材２は注入水６の水圧により外周側に押し戻されて形状は筒状に回復する。これに伴い浮力体７ひいては筒部材２の頂部が下降する。結局、衝突した漂流物等８は筒部材２を凹ましつつ緩衝され、その後に、筒部材２から押し戻される。かくして、漂流物等８の衝突による衝撃を緩和することができ、橋脚等の保護をすることができる。
【００２７】
なお、筒部材２の外周面のうち、漂流物が衝突し易い面に、滑り易い材料で形成した受衝板を設けるようにしてもよい。また、筒部材２の周方向の形状（リング形状）を保持するためには、ケーブル４の代わりにリング状パイプ等を用いることもできる。
また、筒部材２に、自己形状保持ができる（筒型形状が保持できる）程度の剛性を持たせるようにした場合には、形状保持支柱３やケーブル４は無くてもよい。筒部材２に自己形状保持機能を持たせる手法としては、筒部材２の全体を厚くしたり、一部（上下方向に伸びる一部分）を厚くしたり、全体を剛性の高い材料で形成したりする方法を採用することができる。
更に、筒部材２としては、底面のみならず、上面をも閉塞したものを採用することができる。また更に、筒部材２の筒形状としては、円筒形のみならず角筒形にしても良い。
この水上緩衝構造物１Ａは、防舷材として使用することもでき、また緊急時に船や浮体に取り付けることもできる。
【００２８】
＜第３の実施の形態＞
図５，図６は本発明の第３の実施の形態にかかる水上緩衝構造物１１を示す。この水上緩衝構造物１１の基本構成は、図１，図２に示す第１の実施の形態と同様であるが、ケーブル１４の配置数を多くしている。
【００２９】
この水上緩衝構造物１１は、筒部材１２を主体にしたものであり、筒部材１２の形状は、形状保持支柱１３や多数のケーブル１４により保持されている。筒部材１２は、底面が閉塞すると共に上面が開口した筒形状となっており、柔軟な膜材により形成されている。膜材としては、例えば、ポリテトラフルオルエチレン膜や、アラミド繊維膜や、ＦＲＰ膜などの柔軟で、且つ、水を透過させない膜を採用する。
【００３０】
そして、筒部材１２内には、注入水１６が注入されている。注入水１６の水面１６ａは、海の水１５の水面１５ａよりも高くしている。かかる水上緩衝構造物１１は、堤防１７に取り付けられる。
【００３１】
図６に示すように、船１８が筒部材１２に衝突すると、筒部材１２は撓んで凹む。このため船１８の衝撃を緩和することができる。また、筒部材１２が撓んで凹むことにより、注入水１６の水面１６ｂが上昇する。
【００３２】
注入水１６の水面１６ｂが上昇すると注入水１６の水圧が高くなり、一旦は凹んだ筒部材１２は注入水１６の水圧により外周側に押し戻されて形状は筒状に回復する。結局、衝突した船１８は筒部材１２を凹ましつつ緩衝され、その後に、筒部材１２から押し戻される。かくして、船１８の衝突による衝撃を緩和することができ、堤防１７の保護をすることができる。
【００３３】
なお、筒部材１２の外周面のうち、漂流物が衝突し易い面に、滑り易い材料で形成した受衝板を設けるようにしてもよい。また、筒部材１２の周方向の形状（リング形状）を保持するためには、ケーブル１４の代わりにリング状パイプ等を用いることもできる。
また、筒部材１２に、自己形状保持ができる（筒型形状が保持できる）程度の剛性を持たせるようにした場合には、形状保持支柱１３やケーブル１４は無くてもよい。筒部材１２に自己形状保持機能を持たせる手法としては、筒部材１２の全体を厚くしたり、一部（上下方向に伸びる一部分）を厚くしたり、全体を剛性の高い材料で形成したりする方法を採用することができる。
更に、筒部材１２としては、底面のみならず、上面をも閉塞したものを採用することができる。また更に、筒部材１２の筒形状としては、円筒形のみならず角筒形にしても良い。
この水上緩衝構造物１１は、防舷材として使用することもでき、また緊急時に船や浮体に取り付けることもできる。
【００３４】
＜第４の実施の形態＞
図７は本発明の第４の実施の形態にかかる水上緩衝構造物１１Ａを示す。この水上緩衝構造物１１Ａでは、筒部材１２Ａは、上方に向かうに従い横断面積（水平面に対して平行な断面の面積）が次第に狭まるような形状となっている。筒部材１２Ａは、底面が閉塞すると共に上面が開口した筒形状となっており、柔軟な膜材により形成されている。膜材としては、例えば、ポリテトラフルオルエチレン膜や、アラミド繊維膜や、ＦＲＰ膜などの柔軟で、且つ、水を透過させない膜を採用する。
【００３５】
また形状保持支柱１３Ａは、傾斜した筒部材１２Ａを支持できるように、三角形状になっている。筒部材１２Ａの周方向形状は、ケーブル１４により保持されている。そして、筒部材１２Ａの内部に注入水１６が注入される。
【００３６】
漂流物等が筒部材１２Ａに衝突すると、筒部材１２Ａは撓んで凹む。このため漂流物等の衝撃を緩和することができる。また、筒部材１２Ａが撓んで凹むことにより、注入水１６の水面１６ｂが上昇して水圧が高くなる。このとき、筒部材１２Ａは、上方に向かうに従い次第に横断面積が狭まるような形状となっているため、上方に向かうに従い水面１６ｂは上昇しやすくなっている。このように水面１６ｂが上昇しやすくなっているため、注入水１６の水圧も上昇しやすくなっており、一旦は凹んだ筒部材１２Ａは注入水１６の上昇した水圧により外周側に押し戻されて形状は筒状に回復する。結局、衝突した漂流物等は筒部材１２Ａを凹ましつつ緩衝され、その後に、筒部材１２Ａから押し戻される。かくして、漂流物等の衝突による衝撃を緩和することができ、橋脚等の保護をすることができる。
【００３７】
本実施の形態では、漂流物等が筒部材１２Ａに衝突した初期では、筒部材１２Ａからの反発力は小さいが、水面１６ｂは上方に向かうに従い上昇し易くなっており急激に水圧が高くなるので、水面１６ｂが上方に向かうに従い筒部材１２Ａからの反発力が急激に上昇する。このため、より効果的に衝撃を緩衝できると共に、漂流物等を確実に押し戻すことができる。
【００３８】
なお、筒部材１２Ａの外周面のうち、漂流物が衝突し易い面に、滑り易い材料で形成した受衝板を設けるようにしてもよい。また、筒部材１２Ａの周方向の形状（リング形状）を保持するためには、ケーブル１４の代わりにリング状パイプ等を用いることもできる。
また、筒部材１２Ａに、自己形状保持ができる（筒型形状が保持できる）程度の剛性を持たせるようにした場合には、形状保持支柱１３Ａやケーブル１４は無くてもよい。筒部材１２Ａに自己形状保持機能を持たせる手法としては、筒部材１２Ａの全体を厚くしたり、一部（上下方向に伸びる一部分）を厚くしたり、全体を剛性の高い材料で形成したりする方法を採用することができる。
更に、筒部材１２Ａとしては、底面のみならず、上面をも閉塞したものを採用することができる。また更に、筒部材１２Ａの筒形状としては、円筒形のみならず角筒形にしても良い。
この水上緩衝構造物１１Ａは、防舷材として使用することもでき、また緊急時に船や浮体に取り付けることもできる。
【００３９】
＜第５の実施の形態＞
図８は本発明の第５の実施の形態にかかる水上緩衝構造物１１Ｂを示す。この水上緩衝構造物１１Ｂでは、筒部材１２Ｂは、上方に向かうに従い横断面積（水平面に対して平行な断面の面積）が段階的に狭まるような形状となっている。本例では、筒部材１２Ｂは広面積の下段側と、狭面積の上段側の２段になっている。筒部材１２Ｂは、底面が閉塞すると共に上面が開口した筒形状となっており、柔軟な膜材により形成されている。膜材としては、例えば、ポリテトラフルオルエチレン膜や、アラミド繊維膜や、ＦＲＰ膜などの柔軟で、且つ、水を透過させない膜を採用する。
【００４０】
また２本の形状保持支柱１３Ｂ１  と形状保持支柱１３Ｂ２  により、段階形状となっている筒部材１２Ｂを支持している。筒部材１２Ｂの周方向形状は、ケーブル１４により保持されている。そして、筒部材１２Ｂの内部に注入水１６が注入される。
【００４１】
漂流物等が筒部材１２Ｂに衝突すると、筒部材１２Ｂは撓んで凹む。このため漂流物等の衝撃を緩和することができる。また、筒部材１２Ｂが撓んで凹むことにより、注入水１６の水面１６ｂが上昇する。このとき、筒部材１２Ｂは、上方に向かうに従い段階的に横断面積が狭まるような形状となっているため、特に上段側で水面１６ｂは上昇しやすくなっている。このように水面１６ｂが上昇しやすくなっているため、注入水１６の水圧も上昇しやすくなっており、一旦は凹んだ筒部材１２Ｂは注入水１６の上昇した水圧により外周側に押し戻されて形状は筒状に回復する。結局、衝突した漂流物等は筒部材１２Ｂを凹ましつつ緩衝され、その後に、筒部材１２Ｂから押し戻される。かくして、漂流物等の衝突による衝撃を緩和することができ、橋脚等の保護をすることができる。
【００４２】
本実施の形態では、漂流物等が筒部材１２Ｂに衝突した初期では、筒部材１２Ｂからの反発力は小さいが、水面１６ｂは上方に向かうに従い上昇し易くなっており急激に水圧が高くなるので、水面１６ｂが上方に向かうに従い筒部材１２Ａからの反発力が急激に上昇する。このため、より効果的に衝撃を緩衝できると共に、漂流物等を確実に押し戻すことができる。
【００４３】
なお、筒部材１２Ｂの外周面のうち、漂流物が衝突し易い面に、滑り易い材料で形成した受衝板を設けるようにしてもよい。また、筒部材１２Ｂの周方向の形状（リング形状）を保持するためには、ケーブル１４の代わりにリング状パイプ等を用いることもできる。
また、筒部材１２Ｂに、自己形状保持ができる（筒型形状が保持できる）程度の剛性を持たせるようにした場合には、形状保持支柱１３Ｂ１  ，１３Ｂ２  やケーブル１４は無くてもよい。筒部材１２Ｂに自己形状保持機能を持たせる手法としては、筒部材１２Ｂの全体を厚くしたり、一部（上下方向に伸びる一部分）を厚くしたり、全体を剛性の高い材料で形成したりする方法を採用することができる。
更に、筒部材１２Ｂとしては、底面のみならず、上面をも閉塞したものを採用することができる。また更に、筒部材１２Ｂの筒形状としては、円筒形のみならず角筒形にしても良い。
この水上緩衝構造物１１Ｂは、防舷材として使用することもでき、また緊急時に船や浮体に取り付けることもできる。
【００４４】
【発明の効果】
以上、実施の形態と共に具体的に説明したように、本発明の水上緩衝構造物では、水を透過させない柔軟な膜材により、有底の筒形状に形成されており、内部に注入される注入水の水面が、設置場所である河川や湖沼や海の水面よりも高くなるまで、注入水が注入される筒部材を有する構成にした。
このため、漂流物等が筒部材に衝突すると、筒部材は撓んで凹み、衝撃力を緩衝する。また、筒部材が凹むことにより注入水の水位が上昇して注入水圧力が高くなり、凹んだ筒部材は水圧により外側に押し戻されて形状が筒状に回復し、衝突した漂流物を押し戻すことができる。このため、保護すべき構造物に本願発明の水上緩衝構造物を配置することにより、保護すべき構造物が、漂流物等の衝撃を受けることを防止することができる。また、本発明の水上緩衝構造物は必要な場所に簡単に設置することができる。
【００４５】
また本発明の水上緩衝構造物では、水を透過させない柔軟な膜材により、有底の筒形状に形成されており、内部に注入される注入水の水面が、設置場所である河川や湖沼や海の水面よりも高くなるまで、注入水が注入される筒部材と、前記筒部材の高さ方向に沿って配置されており、前記筒部材を上下方向に伸びばした状態で形状を保持する形状保持支柱と、前記筒部材の高さ方向の複数箇所において、筒部材の周方向に沿い配置されて、前記筒部材の周方向形状を保持する周方向形状保持手段とを有する構成にした。
このため、漂流物等が筒部材に衝突すると、筒部材は撓んで凹み、衝撃力を緩衝する。また、筒部材が凹むことにより注入水の水位が上昇して注入水圧力が高くなり、凹んだ筒部材は水圧により外側に押し戻されて形状が筒状に回復し、衝突した漂流物を押し戻すことができる。このため、保護すべき構造物に本願発明の水上緩衝構造物を配置することにより、保護すべき構造物が、漂流物等の衝撃を受けることを防止することができる。また、本発明の水上緩衝構造物は必要な場所に簡単に設置することができる。
更に、形状保持支柱と周方向形状保持手段により、筒部材の筒形状を保持することができるので、確実に緩衝を行うことができる。
【００４６】
また本発明の水上緩衝構造物では、筒部材は、上方に向かうに従い横断面積が次第に狭まる形状になっていたり、上方に向かうに従い横断面積が段階的に狭まる形状になっているため、注入水の水位は上方に行くほど上昇しやすくなり、筒部材の形状回復力が向上する。
【００４７】
また、本発明の水上緩衝構造物では、筒部材の頂部には、前記注入水に浮かぶ浮力体が取り付ける構成により、衝突時の筒部材の高さを自動的に調整することができる。また、筒部材は底面のみならず上面も閉塞されている構成にして、形状回復力をより強力にした。
【図面の簡単な説明】
【図１】本発明の第１の実施の形態に係る水上緩衝構造物を示す断面図。
【図２】本発明の第１の実施の形態に係る水上緩衝構造物を示す斜視図。
【図３】本発明の第２の実施の形態に係る水上緩衝構造物を示す断面図。
【図４】本発明の第２の実施の形態に係る水上緩衝構造物を示す断面図。
【図５】本発明の第３の実施の形態に係る水上緩衝構造物を示す断面図。
【図６】本発明の第３の実施の形態に係る水上緩衝構造物を示す断面図。
【図７】本発明の第４の実施の形態に係る水上緩衝構造物を示す断面図。
【図８】本発明の第５の実施の形態に係る水上緩衝構造物を示す断面図。
【符号の説明】
１，１Ａ，１１，１１Ａ，１１Ｂ  水上緩衝構造物
２，１２，１２Ａ，１２Ｂ  筒部材
３，３Ａ，１３，１３Ａ，１３Ｂ１  ，１３Ｂ２    形状保持支柱
４，１４  ケーブル
５，１５  水
６，１６  注入水
６ｂ，１６ｂ  水面
【図１】
2004360304.tif 000003
【図２】
2004360304.tif 000004
【図３】
2004360304.tif 000005
【図４】
2004360304.tif 000006
【図５】
2004360304.tif 000007
【図６】
2004360304.tif 000008
【図７】
2004360304.tif 000009
【図８】
2004360304.tif 000010